(57)【要約】【課題】最初に天井パネルを一方の載置部に置く従来の難しい作業が、安定して行える簡単な作業となる天井パネルの施工方法が実現できるよう、改善された天井パネル吊具を提供する。【解決手段】建物の躯体から吊下げ部材１４を介して吊設される縦壁部２aと、この縦壁部２ａから一方及び他方の両横側方に延出される一対の載置部２ｂ，３ｂとを有して構成される天井パネル吊具において、縦壁部２ａに作用する吊下げ部材１４による吊設箇所Ｘを、一対の載置部２ｂ，３ｂのうちの、先に天井パネル８が載せられる側の載置部２ｂに偏らせる。【選択図】図１
2006291552.tif 000002
【特許請求の範囲】
【請求項１】
建物の躯体から吊下げ部材を介して吊設される縦壁部と、この縦壁部から一方及び他方の両横側方に延出される一対の載置部とを有して構成される天井パネル吊具であって、
前記縦壁部に作用する前記吊下げ部材による吊設箇所が、前記一対の載置部のうちのいずれか一方の載置部に偏らせて設定されている天井パネル吊具。
【請求項２】
前記吊設箇所が、前記一方の載置部における天井パネル載付け部の縦壁部側端の位置よりも、前記縦壁部から前記一方の載置部存在方向に離れた位置に設定されている請求項１に記載の天井パネル吊具。
【請求項３】
前記一対の載置部が前記縦壁部の下端に一体化された逆さＴ字形の側面視形状を呈する吊本体と、この吊本体の前記縦壁部の上部に連結手段を用いて連結される横倒しＬ字形の側面視形状を呈するアングル材とから成るとともに、前記アングル材における横臥壁部に前記吊設箇所が配備されている請求項１又は２に記載の天井パネル吊具。
【請求項４】
前記縦壁部、前記一方の載置部、及び前記吊設箇所が配備される横壁部を有するコ字形の側面視形状を呈する第１部材と、他方の前記載置部と前記縦壁部に沿わせて連結一体化するための縦向き壁部とを有するＬ字形の側面視形状を呈する第２部材とから成るとともに、前記第２部材における横臥壁部に前記吊設箇所が配備されている請求項１又は２に記載の天井パネル吊具。
【請求項５】
前記載置部に載せ付けられた状態の天井パネルを前記縦壁部に固定すべく、これら天井パネルと前記縦壁部とに跨って装備される固定具が設けられている請求項１〜４の何れか一項に記載の天井パネル吊具。
【請求項６】
請求項１〜５の何れか一項に記載の天井パネル吊具を用いて天井パネルを敷設する天井パネルの施工方法であって、
前記一対の載置部のそれぞれに天井パネルを載置するに当り、先に前記吊設箇所の下方に位置する前記一方の載置部に一方の天井パネルの端部を載せ付け、その後に他方の前記載置部に他方の天井パネルの端部を載せ付ける天井パネルの施工方法。
【発明の詳細な説明】
【技術分野】
【０００１】
本発明は、断熱パネル等の天井パネルを建物の梁から吊下げて支持するための天井パネル吊具、並びにその天井パネル吊具を用いて天井パネルを良好に敷設するための施工方法、即ち天井パネルの施工方法に関するものである。
【背景技術】
【０００２】
従来の天井パネル吊具は、特許文献１や２において開示されたもののように、建物の躯体から吊下げ部材を介して吊設される縦壁部と、この縦壁部から一方及び他方の両横側方に延出される一対の載置部とを有して構成されている。つまり、天井パネル吊具の断面形状は、略逆さＴ字形状や略Ω形状を呈しており、左右の載置部に天井パネルの端部を載せ付けて支持するように構成されている。天井パネルは、その両端部を各々の天井パネル吊具に載せるか、或いは一端部を建物の側壁の上に、かつ、他端部を天井パネル吊具に載せることによって所定高さ位置に敷設支持される。
【０００３】
具体構造としては、図６（ａ）に示すように、従来の天井パネル吊具２１は、縦壁部２２とその下端部に一体又は連結形成される左右一対の載置部２３，２３とから成る断面が略逆さＴ字形状のものであり、縦壁部２２の上端部に適宜の連結手段（図示省略）を介して連結される吊ボルト等の吊下げ部材２４を用いて、梁等の建物躯体（図示省略）から吊設される。この場合、天井パネル２５は、隣合う天井パネル２５，２５の端部２５ａ，２５ａが左右の載置部２３，２３には載せ付けられた状態で、天井パネル上面に作用するＬ字金具等の固定具（図１参照）を用いて縦壁部２２に連結固定されるようになる。
【０００４】
このような天井パネル吊具２１を用いて、天井パネルを敷設する従来の天井パネルの施工方法としては、まず、天井パネル２５の端部２５ａを何れか一方の載置部２３に載せ付け、それから隣り合う天井パネル２５の端部２５ａが他方の載置部２３に載せ付ける、という具合に行われる。ところが、この一般的な天井パネルの施工方法では、天井パネル２５を最初に載置部２３に載せる作業がやり難いという慢性的な問題があり、施工が難しいものであった。
【０００５】
即ち、図６（ａ）に示すように、吊下げ部材２４は縦壁部２２の上端部に連結されており、その連結部２６は、天井パネル組付け後における安定支持を図るべく天井パネル吊具２１としての左右中心に位置しているので、最初に天井パネル２５を一方の載置部２３に載せるときには、その載せ付け点Ｓと吊下げ支点Ｑとが位置ずれしていることになる。その結果、図６（ｂ）に示すように、載せ付け点Ｓを吊下げ支点Ｑに一致させようとする重心移動が生じて、吊下げ部材２４の上端を中心として天井パネル吊具２１が天井パネル２５の非存在側へ逃げるように揺動移動しようとして、天井パネル２５の端部２５ａの載せ面積が瞬時にして減少し、所期する位置に載せ難く不安定になるとか、場合によっては、天井パネル吊具２１が勢い良く逃げ揺動して天井パネル２５が載置部２３から脱落するおそれもあった。
【０００６】
従って、最初に一方の載置部２３に天井パネル２５を載せるには、逃げ揺動する載置部２３に天井パネル２５の端部２５ａを置くという不安定な操作が要求されるか、或いは、それを避けるべく、不安定な吊下げ状態にある天井パネル吊具２１を逃げ揺動しないように押えながら天井パネル２５の端部２５ａを置くという、いずれにしてもやり難い作業が必要とされるのであり、天井パネルの施工は難しいものであった。
【特許文献１】特開２０００−３２００６２号公報
【特許文献２】特開２００１−２００６１０号公報
【発明の開示】
【発明が解決しようとする課題】
【０００７】
本発明の目的は、天井パネル吊具を工夫することにより、最初に天井パネルを一方の載置部に置く従来の難しい作業が、安定して行える簡単な作業となる天井パネルの施工方法、並びに、そのような改善された天井パネルの施工方法を得るための天井パネル吊具を提供することにある。
【課題を解決するための手段】
【０００８】
請求項１に係る発明は、建物の躯体から吊下げ部材１４を介して吊設される縦壁部２aと、この縦壁部２ａから一方及び他方の両横側方に延出される一対の載置部２ｂ，３ｂとを有して構成される天井パネル吊具において、
前記縦壁部２ａに作用する前記吊下げ部材１４による吊設箇所Ｘが、前記一対の載置部２ｂ，３ｂのうちのいずれか一方の載置部２ｂに偏らせて設定されていることを特徴とするものである。
【０００９】
請求項２に係る発明は、請求項１に記載の天井パネル吊具において、前記吊設箇所Ｘが、前記一方の載置部２ｂにおける天井パネル載付け部の縦壁部側端８ｔの位置よりも、前記縦壁部２ａから前記一方の載置部存在方向に離れた位置に設定されていることを特徴とするものである。
【００１０】
請求項３に係る発明は、請求項１又は２に記載の天井パネル吊具において、前記一対の載置部２ｂ，３ｂが前記縦壁部２ａの下端に一体化された逆さＴ字形の側面視形状を呈する吊本体１Ｈと、この吊本体１Ｈの前記縦壁部２ａの上部に連結手段１６，１７を用いて連結される横倒しＬ字形の側面視形状を呈するアングル材４とから成るとともに、前記アングル材４における横臥壁部４ｂに前記吊設箇所Ｘが配備されていることを特徴とするものである。
【００１１】
請求項４に係る発明は、請求項１又は２に記載の天井パネル吊具において、前記縦壁部２ａ、前記一方の載置部２ｂ、及び前記吊設箇所Ｘが配備される横壁部４ｂを有するコ字形の側面視形状を呈する第１部材１Ｈと、他方の前記載置部３ｂと前記縦壁部２ａに沿わせて連結一体化するための縦向き壁部３ａとを有するＬ字形の側面視形状を呈する第２部材３とから成るとともに、前記第２部材３における横臥壁部３ｂに前記吊設箇所Ｘが配備されていることを特徴とするものである。
【００１２】
請求項５に係る発明は、請求項１〜４の何れか一項に記載の天井パネル吊具において、前記載置部２ｂに載せ付けられた状態の天井パネル８を前記縦壁部２ａに固定すべく、これら天井パネル８と前記縦壁部２ａに跨って装備される固定具５が設けられていることを特徴とするものである。
【００１３】
請求項６に係る発明は、請求項１〜５の何れか一項に記載の天井パネル吊具１を用いて天井パネル８を敷設する天井パネルの施工方法において、
前記一対の載置部２ｂ，３ｂのそれぞれに天井パネル８を載置するに当り、先に前記吊設箇所Ｘの下方に位置する前記一方の載置部２ｂに一方の天井パネル８の端部８ａを載せ付け、その後に他方の前記載置部３ｂに他方の天井パネル８の端部８ａを載せ付けることを特徴とするものである。
【発明の効果】
【００１４】
請求項１の発明によれば、縦壁部に作用する吊下げ部材による吊設箇所を、いずれか一方の載置部に偏らせてあるので、その吊設箇所が偏っている側の載置部に先に天井パネルを載せ付けるようにすれば、左右中心に吊設箇所が位置していた従来の天井パネル吊具に比べて、載置部に載せ付けられる天井パネルの端の位置と吊設箇所との位置ずれ量を少なくすることや零にすることができる。従って、天井パネルを一方の載置部に載せた際における天井パネル吊具が逃げ揺動しようとする挙動変化を減少又は解消することができ、天井パネルの端部を載せても天井パネル吊具が殆ど動かない、或いは動かないようになり、最初の天井パネル設置作業を安定した状態で行うことが可能になる。
【００１５】
その結果、天井パネルを載置部に載せた瞬間に載せ付け面積が減少して不安定になったり、所期の位置に置き難いとか、それを避けるべく天井パネル吊具を逃げ揺動しないように押えながら天井パネルを載せる難しい作業になる、といった従来の問題が解消され、最初に天井パネルを一方の載置部に置く従来の難しい作業が、簡単で安定して行える改善された天井パネル吊具を提供することができる。
【００１６】
請求項２の発明によれば、吊設箇所が、一方の載置部における天井パネル載付け部の縦壁部側端の位置よりも、縦壁部から一方の載置部存在方向に離れた位置に設定されているから、前述の位置ずれ量がマイナスの値となり、最初に天井パネルを一方の載置部に載せると、それによって天井パネル吊具が天井パネルに寄って来る方向に揺動、即ち接近揺動しようとする挙動を軽く示すようになり、より安定的に天井パネルの載せ付け作業が行えるようになる。その結果、請求項１の発明による作用効果を強化することができる天井パネル吊具を実現し得た。
【００１７】
請求項３や４の発明は、天井パネル吊具の具体構造を規定したものである。即ち、請求項３のものは、逆さＴ字形状の吊本体と横倒しＬ字形のアングル材とで、請求項４のものは、コ字形の第１部材とＬ字形の第２部材とで、それぞれ天井パネル吊具を簡便に構成することができる。また、請求項５のように、天井パネルと縦壁部とに跨って装備される固定具を設けることにより、見える部分である天井パネルの下面及び天井パネル吊具の両載置部にボルト等の固定手段が表れない良好な外観と、天井パネルの安定固定との両立を図ることが可能になる。
【００１８】
請求項６の発明は、上記天井パネル吊具を用いて天井パネルを敷設する施工方法を規定したものであり、先に、吊設箇所の下方に位置する載置部に天井パネルを載せ付けるように順序を付けることにより、請求項１の発明による作用効果と同等の作用効果が得られる天井パネルの施工方法を提供することができる。
【発明を実施するための最良の形態】
【００１９】
以下に、本発明による天井パネル吊具、及びそれを用いた天井パネルの施工方法の実施の形態を、図面を参照しながら説明する。図１は実施例１による天井パネル吊具を、図２，３は図１の天井パネル吊具を用いた施工方法を示し、図４，５は、夫々実施例２，３による天井パネル吊具を示す図である。また、図６は従来の天井パネル吊具の構造と、それを用いた施工方法を示す図である。
【００２０】
〔実施例１〕
実施例１による天井パネル吊具１は、図１に示すように、断面形状（側面視形状）が縦長の逆向きＬ字形状を呈する第１アングル材２と、この第１アングル材２の下部に一体的に連結される断面形状（側面視形状）がＬ字状の第２アングル材３と、第１アングル材２の上端部にボルト連結される断面形状（側面視形状）が横倒しＬ字状の第３アングル材（アングル材の一例）４と、第１アングル材２の上端部にボルト連結される左右の固定具５，５とから構成されている。これら各アングル材２〜４、及び固定具５はいずれも金属製であるが、その他の材料であっても良い。
【００２１】
第１アングル材２と第２アングル材３とは、それらの第１、第２縦向き部分２ａ，３ａどうしに亘って設けられる複数のリベット６を用いて連結一体化されており、これら第１及び第２アングル材２，３によって吊本体１Ｈが形成されている。これら互いに同じ板厚の各アングル材２，３の第1、第２横向き部分（載置部の一例）２ｂ，３ｂは、同一の高さレベルとなる状態に設定されるとともに、両横向き部分２ｂ，３ｂに亘ってこれらの下方を覆う状態に化粧板７が巻付け装備されている。各横向き部分２ｂ，３ｂにおける縦向き部分２ａ，３ａ寄りの箇所には、化粧板７の板厚分に相当する高さ分盛り上げた隆起部２ｃ、３ｃが形成されている。
【００２２】
第１アングル材２よりも厚肉の第３アングル材４は、その第３縦向き部分４ａと第１縦向き部分２ａとをボルト１１及びナット１２を用いて吊本体１Ｈの上端部に連結一体化されており、第３横向き部分４ｂに上下一対のナット１３，１３を用いて吊りボルト１４の下端ネジ部１４ａに取付け固定されている。吊りボルト（吊下げ部材の一例）１４は、梁等の建物の躯体（図示省略）から吊り下げ支持されている。この吊りボルト１４による第１縦壁部２ａの吊設箇所Ｘは、第１横向き部分（「一対の横向き部分のうちのいずれか一方の横向き部分」の一例）２ｂに偏らせて配置されている。
【００２３】
天井パネル８は、図１に示すように、断熱コア材１０と、これの上下両側に積層配備される板状の金属面材９，９とから成るサンドイッチ構造のパネルであり、その端部８ａが第１及び第２アングル材２，３の各横向き部分２ｂ，３ｂに載せ付けられるとともに、それら端部８ａの上面が、金属製固定具５，５を介してビス１５で締付け固定されることにより、天井パネル吊具１に取付け支持される。各固定具５，５は、それらの縦向き部分５ａどうしで第１縦向き部分（縦壁部の一例）２ａの上端部を挟み込むようにしてボルトナット（図示省略）を用いて共締め固定されるとともに、それらの横向き部分５ｂ，５ｂがビス１５を用いて天井パネル８の端部８ａに螺着される。
【００２４】
図１に示す天井パネル８の装着状態においては、各天井パネル８，８は、化粧板７の両端の巻返し上面部分７ｋと各隆起部２ｃ，３ｃとの部分で対応する第１、第２横向き部分２ｂ，３ｂに載置されており、各隆起部２ｃ，３ｃにおける各天井パネル８の端位置（縦壁部側端の一例）８ｔと吊具中心Ｐとの間隔は互いに等しい。そして、第３アングル材４における吊りボルト１４による吊設箇所Ｘ（吊りボルト１４の中心に一致）は、第３横向き部分４ｂ存在側の天井パネル８の端位置８ｔよりも距離ｄだけ第１縦向き部分２ａ存在側と反対側に離れる状態に設定されている。つまり、天井パネル吊具１としての吊設箇所Ｘが、一方の載置部２ｂにおける天井パネル載付け部の縦壁部側端の位置８ｔよりも、縦壁部２ａから一方の載置部２ｂ存在方向に離れた位置に設定されている。
【００２５】
次に、上記天井パネル吊具１を用いて天井パネル８を敷設する天井パネルの施工方法について説明する。まず、天井パネル吊具１に装備した第３アングル材４を、吊りボルト１４の下端ネジ部１４ａに螺着しておき、図２に示すように、第３横向き部分４ｂが存在している側に位置する第１横向き部分２ｂに、一方の天井パネル８を載せ付ける第１パネル載置工程を行う。前述したように、第１横向き部分２ｂにおける天井パネル８の端位置８ｔよりも吊設箇所Ｘが横方向で天井パネル８の中心部側に寄せてあるので、天井パネル８を第１横向き部分２ｂに載せた際に、天井パネル吊具１が反対側（図２における右側）に逃げ揺動することが無い（寧ろ載せようとする天井パネル８に接近揺動する挙動を示す）ので、安定して最初の天井パネル８を載せる作業を行うことができる。
【００２６】
次いで、図３に示すように、他方の天井パネル８を第２横向き部分３ｂに載せる第２パネル載置工程を行う。この第２パネル載置工程では、他方の天井パネル８を載せた際の重心移動により、天井パネル吊具１が既設の天井パネル８側（図３における左側）に若干揺動移動しようとするが、既に一方の天井パネル８が第１横向き部分２ｂに載置されて下向き荷重が作用する安定した状態になっているので、実質的に天井パネル吊具１は移動しないこととなり、他方の天井パネル８も問題なく安定的に第２横向き部分３ｂに載置することができる。その後に左右の天井パネル８，８を、それらの端部８ａの上面に作用する一対の固定具５，５を用いて吊本体１Ｈに（第１縦壁部２ａに）螺着固定することにより、図１に示す装着状態が得られる。
【００２７】
図１において、化粧板７の巻返し部分７ｋを、天井パネル８の端位置８ｔをカバーする位置まで延長して、隆起部２ｃ，３ｃの無いストレート形状の第１、第２横向き部分２ｂ，３ｂを有する天井パネル吊具１でも良い。また、化粧板７の巻返し部分７ｋを省略することにより、隆起部２ｃ，３ｃを持たないストレート形状の第１、第２横向き部分２ｂ，３ｂを有する天井パネル吊具１を採用する手段も可能である。
〔実施例２〕
【００２８】
実施例２による天井パネル吊具１は、図４に示すように、断面形状（側面視形状）がＴ字形を上下反転させた逆さＴ字状の吊本体１Ｈと、前述の第３アングル材４とをボルト連結して成る構造のものである。つまり、一対の載置部２ｂ，３ｂが縦壁部２ａの下端に一体化された逆さＴ字形の側面視形状を呈する吊本体１Ｈと、この吊本体１Ｈの縦壁部２ａの上部にボルト１６・ナット１７等による連結手段を用いて連結される横倒しＬ字形の側面視形状を呈するアングル材４とから成るとともに、アングル材４における横向き部分（横臥壁部の一例）４ｂに、吊ボルト１４との吊設箇所Ｘが配備されている。
【００２９】
この実施例２による天井パネル吊具１を用いた場合の施工方法における第１パネル載置工程は、縦壁部２ａの左右に配備される天井パネル８，８のうちの、第３横向き部分４ｂが突出している側の第１横向き部分２ｂから天井パネル８を載せることになる。この場合でも、第１横向き部分２ｂにおける天井パネル８の端位置８ｔよりも外側（図４の左側）に吊設箇所Ｘが配置されている。
【００３０】
〔実施例３〕
実施例３による天井パネル吊具１は、図５に示すように、縦壁部２ａ、第１横向き部分（一方の載置部の一例）２ｂ、及び吊設箇所Ｘが配備される第３横向き部分（横壁部の一例）４ｂを有するコ字形の側面視形状を呈する第１部材１Ｈと、第２横向き部分（他方の載置部の一例）３ｂと、縦壁部２ａに沿わせてボルト１２・ナット１３連結一体化するための縦向き壁部３ａとを有するＬ字形の側面視形状を呈する第２部材３とから成る。そして吊設箇所Ｘは、第１部材１Ｈにおける横向き部分（横臥壁部の一例）４ｂにが配備される構造とされている。
【００３１】
この実施例３による天井パネル吊具１を用いた場合の施工方法における第１パネル載置工程は、縦壁部２ａの左右に配備される天井パネル８，８のうちの、第３横向き部分４ｂが突出している側の第１横向き部分２ｂから天井パネル８を載せることになる。
【００３２】
〔別実施例〕
図１において、吊設箇所Ｘが天井パネル８の端位置８ｔと合致する構成、或いは吊設箇所Ｘが天井パネル８の端位置８ｔと天井パネル吊具１の中心Ｐとの間に配置される構成を有する天井パネル吊具１でも良い。また、載置部２ｂ，３ｂに、天井パネル８の載せ位置を決めて敷設作業の簡単化を図るべく、その端位置８ｔを規定するストッパーを設ける構造を採ることも可能である。尚、左右の各天井パネル８の端位置８ｔと天井パネル吊具１の中心Ｐとの間隔は同じでなくても良い。
【図面の簡単な説明】
【００３３】
【図１】天井パネル吊具の構造を示す断面図（実施例１）
【図２】天井パネルの施工方法を示す作用図その１
【図３】天井パネルの施工方法を示す作用図その２
【図４】天井パネル吊具の第１別構造を示す断面図（実施例２）
【図５】天井パネル吊具の第２別構造を示す断面図（実施例３）
【図６】（ａ）、（ｂ）は従来の天井パネルの施工方法を示す作用図
【符号の説明】
【００３４】
１            天井パネル吊具
１Ｈ          吊本体、第１部材
２ａ          縦壁部
２ｂ          一方の載置部
３            第２部材
３ａ          縦向き壁部
３ｂ          他方の載置部
４            アングル材
４ｂ          横臥壁部、横壁部
５            固定具
８            天井パネル
８ａ          端部
８ｔ          縦壁部側端
１４          吊下げ部材
１６，１７    連結手段
Ｘ            吊設箇所
【図１】
2006291552.tif 000003
【図２】
2006291552.tif 000004
【図３】
2006291552.tif 000005
【図４】
2006291552.tif 000006
【図５】
2006291552.tif 000007
【図６】
2006291552.tif 000008